(57)【要約】【課題】  掛止部材に嵌合柱及び掛止フックを設けることにより、２種類の手工具を１つの掛止部材に収納することができる手工具用ホルダーを提供する。【解決手段】  本発明は、棒状のプレート体であると共に、１つ以上の位置決め孔が穿設されるレールと、前記レールに左右方向に摺動可能に掛合され、摺動溝を備えるC形部材と、該C形部材から前方に向かって延出するアームと、該アームの上面に突設される嵌合柱と、該アームに設けられると共に、末端が上側に湾曲する掛止フックとからなる複数の掛止部材を有することを特徴とする。【選択図】  図１
2010058215.tif 000002
【特許請求の範囲】
【請求項１】
棒状のプレート体であると共に、１つ以上の位置決め孔が穿設されるレールと、
前記レールに左右方向に摺動可能に掛合され、摺動溝を備えるC形部材と、該C形部材から前方に向かって延出するアームと、該アームの上面に突設される嵌合柱と、該アームに設けられると共に、末端が上側に湾曲する掛止フックとからなる複数の掛止部材を有することを特徴とする手工具用ホルダー。
【請求項２】
前記掛止フックが前記アームの上面より低い高さに位置することを特徴とする請求項１に記載の手工具用ホルダー。
【請求項３】
前記掛止フックが前記アームの前端に設けられることを特徴とする請求項２に記載の手工具用ホルダー。
【請求項４】
前記掛止フックが前記アームの下部に設けられることを特徴とする請求項２に記載の手工具用ホルダー。
【請求項５】
前記レールの左端の近傍及び右端の近傍に夫々１つの位置決め孔が穿設され、該レールの上側及び下側に夫々ガイド縁が設けられると共に、前記C形部材における摺動溝の上側及び下側に夫々該ガイド縁に掛合するための上フック部及び下フック部が設けられることを特徴とする請求項１乃至請求項４に記載の手工具用ホルダー。
【発明の詳細な説明】
【技術分野】
【０００１】
本発明は、特に複数の手工具を所定の箇所に収納できると共に、材料コストの節約を図ることができる手工具用ホルダーに関するものである。
【背景技術】
【０００２】
従来の手工具用ホルダーは、レールと、該レールに摺動可能に掛合されると共に、ボックスレンチアダプタを嵌め込むための嵌合柱、またはコンビネーションレンチを掛止するための掛止フックの何れか一方を備える複数の掛止部材を有するものであり、この手工具用ホルダーによれば、手工具を所定の箇所に収納することができると共に、何時でも簡単に手に取ることができるだけでなく、収納した手工具をきれい陳列して展示することができる。
【発明の開示】
【発明が解決しようとする課題】
【０００３】
しかしながら、上記従来の手工具ホルダーは、手工具を所定の位置に収納することはできるが、前記掛止部材には単に１種類の手工具しか掛止することができなく、例えばボックスレンチアダプタやコンビネーションレンチを収納するためには、ボックスレンチアダプタ用手工具ホルダーと、コンビネーションレンチ用手工具ホルダーとの両方を備える必要がある。しかし、２種類の手工具ホルダーを採用するということは、材料の浪費並びに使用スペースの増大に繋がると共に、従来の手工具ホルダーにおける、１つの掛止部材に１種類の手工具しか掛止できないといった課題も残ったままである。
【０００４】
そこで、出願されたのが本発明であって、各掛止部材に掛止柱及び掛止フックを設置することにより、２種類の手工具を１つの掛止部材に掛止できると共に、本発明に係る手工具ホルダーによれば、２種類の手工具ホルダーを使用せずとも、２種類の手工具を収納することができるので、手工具ホルダーを製造に用いる材料を節約することができる。
【課題を解決するための手段】
【０００５】
本願の請求項１の発明は、棒状のプレート体であると共に、１つ以上の位置決め孔が穿設されるレールと、
前記レールに左右方向に摺動可能に掛合され、摺動溝を備えるC形部材と、該C形部材から前方に向かって延出するアームと、該アームの上面に突設される嵌合柱と、該アームに設けられると共に、末端が上側に湾曲する掛止フックとからなる複数の掛止部材を有することを特徴とする手工具用ホルダー、を提供する。
【０００６】
本願の請求項２の発明は、前記掛止フックが前記アームの上面より低い高さに位置することを特徴とする請求項１に記載の手工具用ホルダー、を提供する。
【０００７】
本願の請求項３の発明は、前記掛止フックが前記アームの前端に設けられることを特徴とする請求項２に記載の手工具用ホルダー、を提供する。
【０００８】
本願の請求項４の発明は、前記掛止フックが前記アームの下部に設けられることを特徴とする請求項２に記載の手工具用ホルダー、を提供する。
【０００９】
本願の請求項５の発明は、前記レールの左端の近傍及び右端の近傍に夫々１つの位置決め孔が穿設され、該レールの上側及び下側に夫々ガイド縁が設けられると共に、前記C形部材における摺動溝の上側及び下側に夫々該ガイド縁に掛合するための上フック部及び下フック部が設けられることを特徴とする請求項１乃至請求項４に記載の手工具用ホルダー、を提供する。
【発明の効果】
【００１０】
本発明に係る手工具用ホルダーは、設置板に固定されるレールに、左右方向に摺動させて互いの間隔を調節することができる複数の掛止部材が掛合されてなるものであることから、手工具、即ちボックスレンチアダプタやコンビネーションレンチを掛止する時には、該掛止部材の嵌合柱にボックスレンチアダプタを嵌め込むことができると共に、該掛止フックにコンビネーションレンチを掛止できるので、前記ボックスレンチアダプタ及びコンビネーションレンチを所定の位置に収納でき、更には、収納した手工具をきれい陳列して展示することもできる。
【００１１】
また、本発明に係る手工具用ホルダーは、１つの掛止部材に２種類の手工具を所定の位置に掛止できると共に、本発明においては、上述のように、前記アームの上面より低い位置に前記掛止フックが設けられることから、ボックスレンチアダプタのサイズ標記を覆わずにコンビネーションレンチを同一の掛止部材に掛止することができるので、使い勝手がよく、且つデザイン性にも優れている。
【００１２】
更に、本発明に係る手工具用ホルダーによれば、、従来のように、２種類の手工具ホルダーでないと収納できなかったボックスレンチアダプタ及びコンビネーションレンチを、１つの手工具ホルダーに収納できることから、使用上、利便性に優れると共に、製造に用いる材料を節約でき、更には、コスト低減を図ることができる。
【発明を実施するための最良の形態】
【００１３】
以下、添付図面を参照して本発明の好適な実施の形態を詳細に説明する。
【００１４】
図１は本発明に係る手工具用ホルダーの第１実施例の斜視図であり、図２は本発明に係る手工具用ホルダーの第１実施例における掛止部材の斜視図であり、図３は本発明に係る手工具用ホルダーの第１実施例における掛止部材の他の斜視図であり、図４は本発明に係る手工具用ホルダーの第１実施例における掛止部材の側面透視図であり、図５は本発明に係る手工具用ホルダーの第１実施例に手工具を収納する前の状態を示す斜視図であり、図６は本発明に係る手工具用ホルダーの第１実施例に手工具を収納した状態を示す斜視図であり、図７は本発明に係る手工具用ホルダーの第１実施例に手工具を収納した状態を示す側面透視図であり、図８は本発明に係る手工具用ホルダーの第２実施例の斜視図であり、図９は本発明に係る手工具用ホルダーの第２実施例における掛止部材の斜視図であり、図１０は本発明に係る手工具用ホルダーの第２実施例における掛止部材の他の斜視図であり、図１１は本発明に係る手工具用ホルダーの第２実施例における掛止部材の側面透視図であり、図１２は本発明に係る手工具用ホルダーの第２実施例に手工具を収納する前の状態を示す斜視図であり、図１３は本発明に係る手工具用ホルダーの第２実施例に手工具を収納した状態を示す斜視図であり、図１４は本発明に係る手工具用ホルダーの第２実施例に手工具を収納した状態を示す側面透視図である。
【００１５】
図１乃至図４に示すように、本発明に係る手工具用ホルダーの第１実施例は、レール（１０）と、複数の掛止部材（２０）とを備えるものである。
前記レール（１０）は、棒状のプレート体を呈し、その左端の近傍及び右端の近傍に夫々１つの位置決め孔（１１）が穿設されると共に、上側及び下側に夫々ガイド縁（１２）が設けられるものであり、該レール（１０）を、位置決め孔（１１）及び位置決め部材（図示せず）を用いて例えば設置板（３０）などに固設して使用することにより、該レール（１０）を備えた設置板（３０）を展示場に設置したり、該レール（１０）をツールワゴンの周囲に設置することもできる。
【００１６】
前記各掛止部材（２０）には１つのC形部材（２１）設けられ、該C形部材（２１）には、左右方向に摺動可能に前記レール（１０）に掛合される摺動溝（２１１）と、前方に向かって延出するアーム（２２）と、該アーム（２２）の上面に突設される嵌合柱（２２１）と、該アーム（２２）の前端に設けられると共に、末端が上側に湾曲する掛止フック（２３）を有し、該C形部材（２１）における摺動溝（２１１）の上側及び下側に夫々前記ガイド縁（１２）に掛合するための上フック部（２１２）及び下フック部（２１３）が設けられ、また、該アーム（２２）の上面は水平に形成され、該掛止フック（２３）は、アーム（２２）の上面より低い高さに位置している。
【００１７】
また、本実施例によれば、前記レール（１０）の左端の近傍及び右端の近傍に夫々１つの位置決め孔（１１）が穿設され、この位置決め孔（１１）は、ねじやボルトなどの位置決め部材によりレール（１０）を設置板（３０）などに固設するためのものであり、前記レール（１０）における位置決め孔（１１）は、必要に応じて１つのみでもよいし、或いは２つ以上有してもよい。
【００１８】
更に、本発明の第１実施例を使用する時は、図１に示すように、レール（１０）の左端の近傍及び右端の近傍おける位置決め孔（１１）から位置決め部材を挿入し、設置板（３０）に固定し、複数の掛止部材（２０）を左右側から嵌め込むだけでよい。これによれば、掛止部材（２０）を左右方向に摺動させることにより、隣の掛止部材（２０）との間隔を自由に調節することができる。
【００１９】
図５乃至図７に示すように、本発明の好ましい実施例において、手工具を掛止する、即ち、掛止部材（２０）に収納する時は、単に嵌合柱（２２１）にボックスレンチアダプタ（Ａ）を嵌め込むと共に、掛止フック（２３）にコンビネーションレンチ（Ｂ）を掛止すればよく、１つの掛止部材（２０）における所定の箇所に２種類の手工具を収納することができるので、本発明においては、１つの掛止部材（２０）に収納できる手工具の数を増やすことができる。更に、アーム（２２）の上面より低い高さに掛止フック（２３）を位置させることにより、ボックスレンチアダプタ（Ａ）のサイズ標記を覆わずにコンビネーションレンチ（Ｂ）を同一の掛止部材（２０）に収納することができるので、使い勝手が非常によい。
【００２０】
また、従来によれば、ボックスレンチアダプタ（Ａ）を嵌め込むための嵌合柱（２２１）を有する手工具ホルダーと、コンビネーションレンチ（Ｂ）を掛止するための掛止フック（２３）を有する手工具ホルダーの２種類の手工具ホルダーがなければ収納しきれなかったものを、本発明では、１つの手工具ホルダーで収納できることから、材料を節約できるので、コストの低減を図ることができる。
【００２１】
上述したように、前記本発明の第１実施例では、前記掛止フック（２３）をアーム（２２）の前端に設けてもよいが、複数の掛止箇所を提供するために、前記掛止フック（２３）をアーム（２２）の下部に設けてもよい。
【００２２】
図８乃至図１１に示すように、本発明の第２実施例では、前記第１実施例の掛止部材（２０）と異なる形状を有する掛止部材（２０Ａ）を用い、該異なる形状を有する掛止部材（２０Ａ）には１つのC形部材（２１Ａ）が設けられ、該C形部材（２１Ａ）には、左右方向に摺動可能に前記レール（１０）に掛合される摺動溝（２１１Ａ）と、前方に向かって延出するアーム（２２Ａ）と、該アーム（２２Ａ）の上面に突設される嵌合柱（２２１Ａ）と、該アーム（２２Ａ）の下部に設けられると共に、末端が上側へ湾曲する掛止フック（２３Ａ）とを有する。また、前記アーム（２２Ａ）の上面は、水平に形成され、前記掛止フック（２３Ａ）は、アーム（２２Ａ）の上面より低い高さに位置している。
【００２３】
図８及び図１２乃至図１４に示すように、前記本発明の第２実施例を使用する時は、レール（１０）を設置板（３０）に固設し、ボックスレンチアダプタ（Ａ）を嵌合柱（２２１Ａ）に嵌め込み、コンビネーションレンチ（Ｂ）を掛止フック（２３Ａ）に掛止すればよく、この方法によれば、掛止部材（２０Ａ）に多種類の手工具を収納することができる。尚、本発明の第２実施例の使用方法及び効果は、前記第１実施例と同様であるため、係る説明を省略する。
【産業上の利用可能性】
【００２４】
本発明は上記の構造を有し、ボックスレンチアダプタを嵌め込むための嵌合柱と、コンビネーションレンチを掛止するための掛止フックとが共に掛止部材に設けられるので、２種類の手工具を１つの掛止部材に収納することができる。
【図面の簡単な説明】
【００２５】
【図１】本発明に係る手工具用ホルダーの第１実施例の斜視図である。
【図２】本発明に係る手工具用ホルダーの第１実施例における掛止部材の斜視図である。
【図３】本発明に係る手工具用ホルダーの第１実施例における掛止部材の他の斜視図である。
【図４】本発明に係る手工具用ホルダーの第１実施例における掛止部材の側面透視図である。
【図５】本発明に係る手工具用ホルダーの第１実施例に手工具を収納する前の状態を示す斜視図である。
【図６】本発明に係る手工具用ホルダーの第１実施例に手工具を収納した状態を示す斜視図である。
【図７】本発明に係る手工具用ホルダーの第１実施例に手工具を収納した状態を示す側面透視図である。
【図８】本発明に係る手工具用ホルダーの第２実施例の斜視図である。
【図９】発明に係る手工具用ホルダーの第２実施例における掛止部材の斜視図である。
【図１０】本発明に係る手工具用ホルダーの第２実施例における掛止部材の他の斜視図である。
【図１１】本発明に係る手工具用ホルダーの第２実施例における掛止部材の側面透視図である。
【図１２】本発明に係る手工具用ホルダーの第２実施例に手工具を収納する前の状態を示す斜視図である。
【図１３】本発明に係る手工具用ホルダーの第２実施例に手工具を収納した状態を示す斜視図である。
【図１４】本発明に係る手工具用ホルダーの第２実施例に手工具を収納した状態を示す側面透視図である。
【符号の説明】
【００２６】
１０      レール
１１      位置決め孔
１２      ガイド縁
２０      掛止部材
２０Ａ    掛止部材
２１Ｃ    形部材
２１１    摺動溝
２１１Ａ  摺動溝
２１２    上フック部
２１３    下フック部
２１Ａ    Ｃ形部材
２２      アーム
２２１    嵌合柱
２２１Ａ  嵌合柱
２２Ａ    アーム
２３      掛止フック
２３Ａ    掛止フック
３０      設置板
Ａ        ボックスレンチアダプタ
Ｂ        コンビネーションレンチ
【図１】
2010058215.tif 000003
【図２】
2010058215.tif 000004
【図３】
2010058215.tif 000005
【図４】
2010058215.tif 000006
【図５】
2010058215.tif 000007
【図６】
2010058215.tif 000008
【図７】
2010058215.tif 000009
【図８】
2010058215.tif 000010
【図９】
2010058215.tif 000011
【図１０】
2010058215.tif 000012
【図１１】
2010058215.tif 000013
【図１２】
2010058215.tif 000014
【図１３】
2010058215.tif 000015
【図１４】
2010058215.tif 000016